(57)【要約】【課題】グリル庫に対し水受皿をスムーズに出し入れできるグリル装置を提供することを目的とするものである。【解決手段】グリル扉３の開閉と連動する連結部材７は、グリル扉３側において水受皿５の前部分を上下方向に自由状態で係止し、途中は水受皿５の側部に位置させ、後部の両側部はグリル庫１内に設けた連結部材案内部１０に案内される構成とし、水受皿５の最大引き出し時には、連結部材案内部１０と連結部材７の後部の両側部を支点とし、グリル扉３と連結部材７が下方へ回動するとともに連結部材７と水受皿５の前部分の係止状態を保持してなるもので、水受皿５と連結部材７は係止状態が保持されグリル庫に水受皿をスムーズに出し入れできる。【選択図】　図１
2004138307.tif 000002
【特許請求の範囲】
【請求項１】
グリル庫の前面開口部に前方向に開閉自在に設けたグリル扉と、グリル庫内に摺動自在に案内されてグリル庫内を移動する水受皿と、水受皿を保持しグリル扉の開閉と連動してグリル庫内を移動する連結部材とを備え、前記連結部材は、グリル扉側において水受皿の前部分を上下方向に自由状態で係止し、途中は水受皿の側部に位置させ、後部の両側部はグリル庫内に設けた連結部材案内部に案内される構成とし、グリル扉の開成による水受皿の最大引き出し時には、連結部材案内部と連結部材の後部の両側部を支点とし、グリル扉と連結部材が下方へ回動するとともに連結部材と水受皿の前部分の係止状態を保持してなるグリル装置。
【請求項２】
グリル扉と連結部材が連結部材案内部と連結部材の後部の両側部を支点とする下方へ回動時に、前記支点より前部分で連結部材の回動を規制した請求項１に記載のグリル装置。
【請求項３】
連結部材の途中の後方には、グリル庫の底板に当接する当接部を設け、この当接部による支点と、連結部材案内部と連結部材の後部の両側部を支点とを中心にグリル扉と連結部材が下方へ回動するようにした請求項１に記載のグリル装置。
【請求項４】
水受皿は、連結部材と着脱自在とするとともに前後方向を示す表示部を設けた請求項１〜３のいずれか１項に記載のグリル装置。
【請求項５】
連結部材は、水受皿の外周を保持する略矩形状にした請求項１〜４のいずれか１項に記載のグリル装置。
【請求項６】
連結部材と水受皿の前部分との係止は、グリル庫の前後、左右方向への水受皿の動きを規制した請求項１に記載のグリル装置。
【請求項７】
グリル扉と連結部材の下方への回動範囲を、グリル扉と連結部材の引き出し量に応じて規制した請求項１〜３のいずれか１項に記載のグリル装置。
【請求項８】
グリル庫を構成するグリル庫の側板に、連結部材案内部を設けた請求項１に記載のグリル装置。
【発明の詳細な説明】
【０００１】
【発明の属する技術分野】
本発明は、テーブルこんろ等に設けられるグリル装置に関するものである。
【０００２】
【従来の技術】
この種のグリル装置としては、前面が開口した箱状のグリル庫の底板上に水受皿が摺動自在に載置され、グリル扉を開閉したとき連結部材を介して水受皿が連動して水平移動するものが知られている（例えば、特許文献１参照）。
【０００３】
これは、具体的には、グリル扉を開成した際、グリル扉と連結部材は水受皿とは別に下方へ回動し、水受皿を取り出すことができるようになっている。
【０００４】
【特許文献１】
特開２００２−４６２号公報
【０００５】
【発明が解決しようとする課題】
前記従来のグリル装置では、水受皿を引出した後に、再度グリル庫内に移動させる際、グリル扉と連結部材が下方に回動しているため、うまく水受皿とセッティングできず、水受皿がグリル庫内にスムーズに移動させることができない場合がある。
【０００６】
本発明は、前記従来の課題を解決するもので、グリル庫内への水受皿の出し入れをスムーズに行なうとともに、調理物の取扱いを容易にしたグリル装置を提供することを目的とするものである。
【０００７】
【課題を解決するための手段】
前記目的を達成するために、本発明のグリル装置は、水受皿を保持しグリル扉の開閉と連動してグリル庫内を移動する連結部材は、グリル扉側において水受皿の前部分を上下方向に自由状態で係止し、途中は水受皿の側部に位置させ、後部の両側部はグリル庫内に設けた連結部材案内部に案内される構成とし、グリル扉の開成による水受皿の最大引き出し時には、連結部材案内部と連結部材の後部の両側部を支点とし、グリル扉と連結部材が下方へ回動するとともに連結部材と水受皿の前部分の係止状態を保持してなるものである。
【０００８】
これにより、水受皿の最大引き出し時にも連結部材と水受皿の係止状態が保持されているため、グリル庫内への水受皿の出し入れがスムーズに行なえるとともに、水受皿の最大引き出し時には、グリル扉と連結部材が下方へ回動しているため、調理物の取扱いが容易なものである。
【０００９】
【発明の実施の形態】
請求項１に記載の発明は、グリル庫の前面開口部に前方向に開閉自在に設けたグリル扉と、グリル庫内に摺動自在に案内されてグリル庫内を移動する水受皿と、水受皿を保持しグリル扉の開閉と連動してグリル庫内を移動する連結部材とを備え、前記連結部材は、グリル扉側において水受皿の前部分を上下方向に自由状態で係止し、途中は水受皿の側部に位置させ、後部の両側部はグリル庫内に設けた連結部材案内部に案内される構成とし、グリル扉の開成による水受皿の最大引き出し時には、連結部材案内部と連結部材の後部の両側部を支点とし、グリル扉と連結部材が下方へ回動するとともに連結部材と水受皿の前部分の係止状態を保持してなるグリル装置としたことにより、水受皿の最大引き出し時にも連結部材と水受皿の係止状態が保持されているため、グリル庫内への水受皿の出し入れがスムーズに行なえるとともに、水受皿の最大引き出し時には、グリル扉と連結部材が下方へ回動しているため、調理物の取扱いが容易なものである。
【００１０】
請求項２に記載の発明は、グリル扉と連結部材が連結部材案内部と連結部材の後部の両側部を支点とする下方へ回動時に、前記支点より前部分で連結部材の回動を規制した請求項１に記載のグリル装置としたことにより、連結部材の回動規制で水受皿の最大引き出し時にも連結部材と水受皿の係止状態が確実に保持される。
【００１１】
請求項３に記載の発明は、連結部材の途中の後方には、グリル庫の底板に当接する当接部を設け、この当接部による支点と、連結部材案内部と連結部材の後部の両側部を支点とを中心にグリル扉と連結部材が下方へ回動するようにした請求項１に記載のグリル装置としたことにより、グリル扉と連結部材の回動がスムーズであり、同時に連結部材と水受皿の係止状態が確実に保持される。
【００１２】
請求項４に記載の発明は、水受皿は、連結部材と着脱自在とするとともに前後方向を示す表示部を設けた請求項１〜３のいずれか１項に記載のグリル装置としたことにより、水受皿の掃除等の時に連結部材から外しても、再装着は連結部材に対して所定位置に確実にかつ容易に行える。
【００１３】
請求項５に記載の発明は、連結部材は、水受皿の外周を保持する略矩形状にした請求項１〜４のいずれか１項に記載のグリル装置としたことにより、連結部材によって水受皿は確実に保持され、水受皿の回転、脱落等がない。
【００１４】
請求項６に記載の発明は、連結部材と水受皿の前部分との係止は、グリル庫の前後、左右方向への水受皿の動きを規制した請求項１に記載のグリル装置としたことにより、連結部材によって水受皿は確実に位置決めでき、グリル扉の動きと確実に連動させることができる。
【００１５】
請求項７に記載の発明は、グリル扉と連結部材の下方への回動範囲を、グリル扉と連結部材の引き出し量に応じて規制した請求項１〜３のいずれか１項に記載のグリル装置としたことにより、水受皿の引き出し量に応じて、グリル扉が下方に変位し、調理物の取扱いが容易となるものである。
【００１６】
請求項８に記載の発明は、グリル庫を構成するグリル庫の側板に、連結部材案内部を設けた請求項１に記載のグリル装置としたことにより、グリル庫と同時にプレス成形で連結部材案内部を形成することができる。
【００１７】
【実施例】
以下、本発明の実施例について図面を参照して説明する。
【００１８】
図に示すように、グリル装置は、グリル庫１の前面開口部２に前方向に開閉自在に設けたグリル扉３と、グリル庫１内に摺動自在に案内されてグリル庫１内の底部４上を移動する水受皿５と、水受皿５を着脱自在に保持するとともに係止部分６で係止、連結しグリル扉３の開閉と連動してグリル庫１内を移動する連結部材７とを備えている。
【００１９】
グリル庫１は、水受皿５を受けるレール状の底部４を底面に有し、両側壁８には、グリル庫１内の底部４上を水受皿５が前後に摺動する際に水受皿５の縁部１８と当たり水受皿５を水平に保持するための水受皿案内部９と、グリル扉３の動きに連動する連結部材７の動きを案内し、規制する連結部材案内部１０とが設けられている。連結部材案内部１０は、連結部材７の動きを案内し、規制する面が、グリル庫１の前面開口部２側に向かって広がるように徐々に傾斜している。また、グリル庫１内の上方には、調理物Ａを加熱調理するバーナ１１が装備され、底板の前方には、水受皿５のグリル庫１からの引き出し量を規制する突起状ストッパー１２が設けられている。
【００２０】
グリル扉３は、上部にガラス窓１３を有する枠板１４と、その前面下部に固着された把手１５と、枠板１４の背面に設けられ、連結部材７を着脱可能に取付ける締結機構１６が付設されている。
【００２１】
水受皿５は、その内側に、調理物Ａを載置する焼網（図示せず）が装備されるものであり、プレス成形された矩形状の容器部１７と、その上縁外周に設けられた縁部１８とからなり、容器部１７の外底には、水受皿５をグリル庫１から把手１５を持って引き出した時、突起状ストッパー１２と当たり引き出し量を規制するストッパー１９が設けられている。また、水受皿５の前側で、水受皿５の前部縁２２より下側に位置する容器部１７の底面２０には、水受皿５とは別体の連結部材支持材２１がスポット溶接などで固定されて設けられている。さらに、水受皿５の縁部１８は、前部縁２２、後部縁２３、および両側部縁２４、２５よりなり、連結部材支持材２１には２個の開口孔２６が、前部縁２２には２個の水受皿開口孔３４が対応して設けられている。
【００２２】
連結部材７は、水受皿５の外周を保持する略矩形状をしているものであり、金属線を折り曲げて形成した、水受皿５の容器部１７の外周に外嵌される環状部材２７と、環状部材２７の側材２８に両端部を溶接した連結補助部材２９とから構成されている。この連結部材７は、連結補助部材２９と反対側、すなわちグリル扉３側において、締結機構１６に着脱自在に固定されている。
【００２３】
環状部材２７の側材２８は、図３に示すように、水受皿５の後半部分において略Ｓ字状部３０を形成し、グリル庫１の底板に当接する当接部３１を設け、一端は水受皿５の後部縁２３方向へ伸長して端部に連結補助部材２９が取付けられている。当接部３１よりグリル扉３側では、グリル庫１の前方へ向かって緩やかに上方に傾斜した後、下方に傾斜させ、下点３２から前方は、鍵状に曲げられて上位に変位させて水受皿５の両側部縁２４、２５に当接した最上点３３を構成し、再度グリル庫１の底板４に当接した状態に折り曲げ加工している。グリル庫１の底板４に当接した部分の前側は、連結部材支持材２１の開口孔２６および前部縁２２の水受皿開口孔３４を貫通させて、前部縁２２から上方へ突出し、再度下方に逆Ｕ字型に折り曲げて、水受皿開口孔３４および開口孔２６を貫通させ水受皿係止部３５を構成し、係止部分６としている。さらに、水受皿係止部３５のグリル扉３側は延長して先に記述したように締結機構１６に固定されている。そして、連結補助部材２９は、連結部材７に水受皿５を係止した際に、水受皿５の後部縁２３の外側になり、後部縁２３から一定距離を隔てるように構成されている。
【００２４】
前記したように、連結部材７は、グリル扉３側において、水受皿５の前部分を水受皿開口孔３４および開口孔２６と水受皿係止部３５により、上下方向に自由状態で、グリル庫１の前後、左右方向への水受皿５の動きを規制した状態で係止し、途中の側材２８は水受皿５の側部に位置させ、後部の両側部は連結補助部材２９がグリル庫１内に設けた連結部材案内部１０に案内される構成とし、グリル扉３の開成による水受皿５の最大引き出し時には、連結部材７の後部の両側部が連結部材案内部１０と連結補助部材２９を支点とし、グリル扉３と連結部材７が下方へ回動するとともに連結部材７と水受皿５の前部分の係止状態を水受皿係止部３５で保持しているものである。
【００２５】
以上のグリル装置において、連結部材７の水受皿係止部３５を、水受皿５の開口孔２６、水受皿開口孔３４に挿通し、容器部１７を環状部材２７内に嵌め込み、環状部材２７の側材２８の最上点３３において水受皿５の両側部縁２４、２５の前部を下方から支持する。また、水受皿５の後方は、連結部材７に設けた略Ｓ字状部３０間に嵌まり込み、水受皿５の後部縁２３の外側に一定距離を隔てるように連結補助部材２９が位置している。
【００２６】
ここで、グリル扉３を開成した場合、水受皿５にはグリル扉３の動きが連結部材７を介して確実に伝達されて、グリル庫１から容易に引き出され、引き出し操作が継続されると、突起状ストッパー１２にストッパー１９が当接して、さらなる引き出し操作はできなくなる。この時の水受皿５は、水受皿案内部９で縁部１８が案内されて水平移動する。また、連結部材７はグリル扉３と連動してグリル庫１内を移動する際に、連結部材案内部１０に案内されて引き出される。
【００２７】
この水受皿５の最大引き出し時における、グリル扉３、水受皿５、連結部材７の動きは、図１に示すように、連結部材７の側材２８に設けた略Ｓ字状部３０とグリル庫１内の底板との当接部３１を支点として、グリル扉３は自重にて下方へ回動し、連結部材７の後方に設けた連結補助部材２９は上方へ回動し、両者の回動量は連結補助部材２９が連結部材案内部１０に当接するまでである。当接部３１は、この引き出し操作の際は、グリル庫１内の底板との間で滑りながら位置がグリル庫１の前方向に遂次変化している。
【００２８】
このグリル扉３の引き出し操作後、グリル扉３は自重により下方向に回動した時、連結部材７の水受皿支持部３５の水受皿開口孔３４への挿通状態が解除され、開口孔２６のみに挿通された状態にて回動が停止する。すなわち、この状態においても連結部材７と水受皿５の前部分の係止状態は保持されているものであるなお、グリル扉３が下方向へ回動した時、連結補助部材２９が連結部材案内部１０に当接し、略Ｓ字状部３０とグリル庫１内の底板との当接部３１が確保されるものであり、２つの支点でグリル扉３の回動量が確実に規制されるようになっている。しかし、略Ｓ字状部３０をなくし、連結補助部材２９と連結部材案内部１０との支点より前部分で連結部材７をグリル庫１の前面開口部２に当て、連結部材７の回動を規制したものであってもよい。
【００２９】
また、グリル扉３を完全に引き出さないで途中で停止した場合は、連結補助部材２９が連結部材案内部１０の途中に当接し、略Ｓ字状部３０とグリル庫１内の底板との当接部３１を支点としてグリル扉３は下方へ回動する。従って、グリル扉３の動きは、グリル庫１内に水受皿５が完全に収納されている時は回動量ゼロで、引き出し量に応じて回動を開始し、突起状ストッパー１２にストッパー１９が接した時が最大回動量になるように構成している。
【００３０】
この最大回動量の時、グリル扉３上端に相当する枠板１４上端が、水受皿５に装備した焼網とほぼ同一高さとなるように設定されている。従って、グリル使用者が焼網上の調理物Ａを取出す際、、グリル扉３が回動して降下しているため、調理物Ａとの間に障害物がないので、作業が容易に行えると同時に、グリル扉３等に接触して手、手首等を火傷することもなく安全なグリルを提供できることになる。
【００３１】
また、水受皿５は、図１の状態において前部縁２２側を持ち上げることにより、また、連結部材７と一緒にグリル庫１から取り出し、連結部材７から取り外すことができ、水受皿５の調理後の掃除等が容易に行なえる。
【００３２】
また、水受皿５には、使用者に対する水受皿５の位置、あるいは方向を示す表示又は印字、すなわち、前後方向を示す表示部３６を設けたものである。この表示部３６は、容器部１７の底面部分等、見やすい位置に水受皿５のプレス成形時に金型等で刻印して設けるものであり、連結部材７に水受皿５を着脱操作する時に方向が誤ることがなく使いやすいようにしている。
【００３３】
また、グリル扉３の把手１５部分を持って、グリル庫１から水受皿５を完全に引き出して持ち運ぶ時、水受皿５は鍵状に曲げられた最上点３３と略Ｓ字状部３０が水受皿５の両側部縁２４、２５に当接して支えられる。この時、水受皿５の重心は、最上点３３と略Ｓ字状部３０間に存在するので、持ち運び作業等で水受皿５が前後方向に回転することがなく、水受皿５が傾斜して内部に留まっている水や、調理物Ａが落下することがなく、安全で使いやすいグリルが提供できるのである。
【００３４】
また、本実施例では、グリル庫１を構成するグリル庫１の側板８に、水受皿案内部９と連結部材案内部１０の両者を設けたので、単一の板をプレス成形することで２個の案内部９、１０を容易に形成することができ、製造コストの低減がはかれる。
【００３５】
【発明の効果】
以上のように、本発明のグリル装置によれば、水受皿の最大引き出し時にも連結部材と水受皿の係止状態が保持されているため、グリル庫内への水受皿の出し入れがスムーズに行なえるとともに、水受皿の最大引き出し時には、グリル扉と連結部材が下方へ回動しているため、調理物の取扱いが容易なものである。
【図面の簡単な説明】
【図１】本発明の実施例におけるグリル装置においてグリル扉を引き出した状態を示す要部断面図
【図２】同グリル装置において水受け皿の摺動途中の要部断面図
【図３】同グリル装置においてグリル扉の閉成状態を示す要部断面図
【図４】同グリル装置の分解斜視図
【符号の説明】
１　グリル庫
３　グリル扉
５　水受皿
７　連結部材
９　水受皿案内部
１０　連結部材案内部
２９　連結補助部材
３５　水受皿係止部
３６　表示部
Ａ　調理物
【図１】
2004138307.tif 000003
【図２】
2004138307.tif 000004
【図３】
2004138307.tif 000005
【図４】
2004138307.tif 000006